(57)【要約】【課題】本発明の実施形態が解決しようとする課題は、下位の装置に対し、自動で時刻を同期することにより時刻合わせの処理を行うゲートウェイ装置を提供することである。【解決手段】実施形態のゲートウェイ装置は、一つ以上の設備機器に対する制御を実行するための一つ以上のコントローラが接続される第１のネットワークと、制御を送信する一つ以上のＨＭＩが接続される第２のネットワークとの境界に位置するゲートウェイ装置であって、取得部と、変換部と、時刻同期部とを備える。取得部は、時刻を取得する。変換部は、ゲートウェイ装置に対して固有に設定されるデバイス定義を、コントローラに対して固有に設定されるデバイス定義に変換する。時刻同期部は、取得する前記時刻と、変換する前記デバイス定義の前記コントローラの時刻とを同期する。【選択図】  図１
2018022947.tif 000002
【特許請求の範囲】
【請求項１】
一つ以上の設備機器に対する制御を実行するための一つ以上のコントローラが接続され
る第１のネットワークと、制御を送信する一つ以上のＨＭＩが接続される第２のネットワ
ークとの境界に位置するゲートウェイ装置であって、
時刻を取得する取得部と、
前記ゲートウェイ装置に対して固有に設定されるデバイス定義を、前記コントローラに
対して固有に設定されるデバイス定義に変換する変換部と、
取得する前記時刻と、変換する前記デバイス定義の前記コントローラの時刻とを同期す
る時刻同期部と、
を備えるゲートウェイ装置。
【請求項２】
一つ以上の設備機器に対する制御を実行するための一つ以上のコントローラが接続され
る第１のネットワークと、制御を送信する一つ以上のＨＭＩが接続される第２のネットワ
ークとの境界に位置するゲートウェイ装置を備える時刻設定システムであって、
時刻の情報を保持し、前記時刻の同期を開始するサーバと、
前記時刻を取得する取得部と、
前記ゲートウェイ装置に対して固有に設定されるデバイス定義を、前記コントローラに
対して固有に設定されるデバイス定義に変換する変換部と、
取得する前記時刻と、変換する前記デバイス定義の前記コントローラの時刻とを同期す
る時刻同期部と、
を備える時刻設定システム。
【請求項３】
一つ以上の設備機器に対する制御を実行するための一つ以上のコントローラが接続され
る第１のネットワークと、制御を送信する一つ以上のＨＭＩが接続される第２のネットワ
ークとの境界に位置するゲートウェイ装置を、
時刻を取得する取得部と、
前記ゲートウェイ装置に対して固有に設定されるデバイス定義を、前記コントローラに
対して固有に設定されるデバイス定義に変換する変換部と、
取得する前記時刻と、変換する前記デバイス定義の前記コントローラの時刻とを同期す
る時刻同期部と、
して機能させるための時刻設定プログラム。
【請求項４】
一つ以上の設備機器に対する制御を実行するための一つ以上のコントローラが接続され
る第１のネットワークと、制御を送信する一つ以上のＨＭＩが接続される第２のネットワ
ークとの境界に位置するゲートウェイ装置を用いて、
時刻を取得するステップと、
前記ゲートウェイ装置に対して固有に設定されるデバイス定義を、前記コントローラに
対して固有に設定されるデバイス定義に変換するステップと、
取得する前記時刻と、変換する前記デバイス定義の前記コントローラの時刻とを同期す
るステップと、
を実行する時刻設定方法。
【発明の詳細な説明】
【技術分野】
【０００１】
本発明の実施形態は、ゲートウェイ装置、時刻設定システム、時刻設定プログラム、及
び時刻設定方法に関する。
【背景技術】
【０００２】
オフィスビル等の電力を監視するためのシステムにおいて、中央監視装置であるＨＭＩ
（ヒューマンマシンインターフェース）は、多くの設備機器の使用状況の監視あるいは制
御を行っている。新しいシステムの導入の際、設備機器を個別に管理するコントローラの
一部は更新せず、ＨＭＩを新しい装置へ更新する場合がある。
【０００３】
既設のコントローラと新設のＨＭＩの通信プロトコルが異なる場合、通信プロトコルの
変換を行うゲートウェイ装置が必要となる。しかし、機能の統一ができていなかった。そ
の機能の一つに、時刻設定機能があげられる。
【０００４】
時刻設定機能とは、システム全体の時刻を合わせる機能である。システム内の機器によ
って時刻が異なると、空調機器や照明設備等の設備機器の制御出力や故障・状態の履歴を
時刻にて管理しているため、事故・異常時などの事象確認の際に、イベントの順序が狂い
、前後関係が不明になる可能性がある。アプリケーションソフトを作成することで時刻合
わせの処理を行えるが、作成や管理には大変な作業を要する。
【先行技術文献】
【特許文献】
【０００５】
【特許文献１】特開２００９―２３９４７８号公報
【発明の概要】
【発明が解決しようとする課題】
【０００６】
少ない作業量でシステム内の時刻合わせの処理を行うことが要求されており、この要求
に対応できる装置が望まれている。
【０００７】
本発明の実施形態が解決しようとする課題は、下位の装置に対し、自動で時刻を同期す
ることにより時刻合わせの処理を行うゲートウェイ装置を提供することである。
【課題を解決するための手段】
【０００８】
上記課題を解決するために、実施形態のゲートウェイ装置は、一つ以上の設備機器に対
する制御を実行するための一つ以上のコントローラが接続される第１のネットワークと、
制御を送信する一つ以上のＨＭＩが接続される第２のネットワークとの境界に位置するゲ
ートウェイ装置であって、取得部と、変換部と、時刻同期部とを備える。取得部は、時刻
を取得する。変換部は、ゲートウェイ装置に対して固有に設定されるデバイス定義を、コ
ントローラに対して固有に設定されるデバイス定義に変換する。時刻同期部は、取得する
前記時刻と、変換する前記デバイス定義の前記コントローラの時刻とを同期する。
【図面の簡単な説明】
【０００９】
【図１】本発明の実施形態に係るゲートウェイ装置のシステム構成の具体例を示す図である。
【図２】本発明の実施形態に係るゲートウェイ装置の機能の構成図である。
【図３】本発明の実施形態に係る時刻設定システムの運用に関するシーケンス図である。
【図４】本発明の実施形態に係るゲートウェイ装置の運用に関するフローチャートである。
【図５】本発明の実施形態に係るコントローラ３−３の運用に関するシーケンス図である。
【発明を実施するための形態】
【００１０】
以下、図面を参照して発明を実施するための実施形態について説明する。
【００１１】
（実施形態）
（構成）
図１にゲートウェイ装置の全体の時刻設定システムの構成の具体例を示す。時刻設定シ
ステムは、例えば、ＨＭＩ（ヒューマンマシンインターフェース）２、ゲートウェイ装置
１、コントローラ３−１〜３−３、サーバ５を備える。
【００１２】
ビルの中央監視室等に設置されるＨＭＩ２は、空調機器や照明設備などの設備機器４−
１〜４−３に対する制御命令を送信する。設備機器４−１、４−２に対する制御命令は、
ゲートウェイ装置１に送信し、設備機器４−３に対する制御命令は、コントローラ３−３
に送信する。
【００１３】
また、設備機器４−１〜４−３の状態を受信する。設備機器４−１、４−２の状態は、
ゲートウェイ装置１から受信し、設備機器４−３の状態は、コントローラ３−３から受信
する。その際使用されるネットワークが第２のネットワークである。
【００１４】
時刻設定に関して、時刻設定システムでの時刻は、ＨＭＩ２から設定する。ＨＭＩ２は
サーバ５と通信をし、設定した時刻をサーバ５に送信する。
【００１５】
ゲートウェイ装置１は、コントローラ３−１、３−２及びＨＭＩ２と通信を行う。コン
トローラ３−１、３−２と通信する際に使用されるネットワークが第１のネットワークで
ある。ＨＭＩ２と通信する際に使用されるネットワークが第２のネットワークである。ゲ
ートウェイ装置１は、第１のネットワークと第２のネットワークの境界に位置する。
【００１６】
ただし、第１のネットワークと第２のネットワークの通信プロトコルは、例えばＢＡＣ
ｎｅｔ（登録商標）である。ただし、ＢＡＣｎｅｔの通信インターフェースは同一でも異
なっていてもよい。たとえば、第２のネットワークはＢＡＣｎｅｔ２００４、第１のネッ
トワークはＢＡＣｎｅｔ２０００でもよいし、どちらのネットワークもＢＡＣｎｅｔ２０
００でもよい。
【００１７】
コントローラ３−１、３−２は、ゲートウェイ装置１及び設備機器４−１、４−２と通
信し、設備機器４−１、４−２の出力を制御する。また、設備機器４−１、４−２の状態
を受信し、ゲートウェイ装置１に送信する。コントローラ３−３は、ＨＭＩ２、サーバ５
、及び設備機器４−３と通信し、設備機器４−３の出力を制御する。また、設備機器４−
３の状態を受信し、ＨＭＩ２またはサーバ５に送信する。
【００１８】
サーバ５は、ＨＭＩ２で設定される時刻を記憶する。また、時刻同期をする際、サーバ
５で記憶される時刻を下位の装置へ同期する。下位の装置とは、例えば、ゲートウェイ装
置１、コントローラ３−３である。
【００１９】
図２に、ゲートウェイ装置１の構成図の例を示す。ゲートウェイ装置１は、取得部１１
、記憶部１２、変換部１３、時刻設定部１４、時刻同期部１５を備える。
【００２０】
取得部１１は、サーバ５から同期される時刻を取得する。
【００２１】
記憶部１２は、事前に登録されるデバイス定義を記憶する。デバイス定義とは、ネット
ワークで定まる、システム上で登録される各デバイスの定義である。デバイスとは例えば
、ＨＭＩ２、サーバ５、ゲートウェイ装置１、コントローラ３−１〜３−３である。ゲー
トウェイ装置１が記憶するデバイス定義は、第１のネットワークでつながる下位の機器で
あるコントローラ３−１、３−２の定義、及び第２のネットワークでつながる上位の機器
であるＨＭＩ２、及びサーバ５の定義である。記憶部１２は、デバイス定義を、ゲートウ
ェイ装置１の起動時に読み込み、記憶する。
【００２２】
変換部１３は、時刻を設定する際、記憶部１２で記憶されるデバイス定義を用いて、第
２のネットワークでつながる上位の機器のデバイス定義を、第１のネットワークでつなが
る下位の機器のデバイス定義に変換する。
【００２３】
時刻設定部１４は、取得部１１で取得する時刻を、ゲートウェイ装置１に設定する。
【００２４】
時刻同期部１５は、変換部１３で変換するデバイス定義を用いて、サーバ５から同期さ
れる時刻を下位の機器に同期する。
【００２５】
（作用）
図３に本実施形態に係るゲートウェイ装置１、ＨＭＩ２、コントローラ３−１、サーバ
５の運用に関するシーケンス図を示す。図３のシーケンス図は、図１において、オペレー
タまたは時報等により、ＨＭＩ２から時刻が変更され、その変更される時刻をサーバ５が
読込、ゲートウェイ装置１及びコントローラ３−１に同期するときのシーケンス図である
。コントローラ３−２の運用は、図３のコントローラ３−１と同様である。
【００２６】
まず、オペレータまたは時報等によりＨＭＩ２の時刻が変更され、ＨＭＩ２に時刻が設
定される（Ｓ１１１）。その後、サーバ５に時刻が送信される（Ｓ１１２）。そして、サ
ーバ５がその時刻を取得する（Ｓ１１３）。取得する時刻をサーバ５に設定する（Ｓ１１
４）。そして、サーバ５は下位の装置に時刻を同期する（Ｓ１１５）。その際使用される
ネットワークは、例えばＢＡＣｎｅｔ規格のネットワークである。
【００２７】
その後、ゲートウェイ装置１の取得部１１は同期される時刻を取得する（Ｓ１１６）。
そして、時刻設定部１４がその時刻をゲートウェイ装置１に設定する（Ｓ１１７）。次に
、変換部１３が、記憶部１２に記憶されるデバイス定義に基づいて、異なるネットワーク
とつながる機器のデバイス定義へ変換する（Ｓ１１８）。そして、時刻同期部１５が、Ｂ
ＡＣｎｅｔ規格のネットワークで下位の装置へ取得する時刻を同期する（Ｓ１１９）。
【００２８】
そして、コントローラ３−１が同期される時刻を取得する（Ｓ１２０）。最後に、コン
トローラ３−１は、取得する時刻を自身の機器に設定する（Ｓ１２１）。
【００２９】
以上のようにして、時刻の設定を行う。ここで、Ｓ１１１〜Ｓ１１４は、オペレータに
より時刻が変更される場合、または時報の時刻に変更される場合のみで適用されるステッ
プである。ある時刻に自動で時刻の同期を行う場合は、Ｓ１１５以降のステップが適用さ
れる。
【００３０】
図４に、本実施形態に係るゲートウェイ装置１の運用に関するフローチャートを示す。
図４のフローチャートは、図３のシーケンス図におけるＳ１１６〜Ｓ１１９のステップに
関するフローチャートである。
【００３１】
まず、ゲートウェイ装置１の取得部１１が、サーバ５から同期される時刻を取得する（
Ｓ１１）。そして、時刻設定部１４が取得する時刻を自身の機器に設定する（Ｓ１２）。
つまり、時刻設定部１４が取得する時刻を記憶部１２に記憶させる。その後、変換部１３
が、記憶部１２で記憶されるデバイス定義を参照して、コントローラ３−１、３−２のデ
バイス定義に変換する（Ｓ１３）。最後に、時刻同期部１５が、変換されるデバイス定義
のコントローラ３−１、３−２と取得する時刻とを同期する（Ｓ１４）。
【００３２】
（効果）
本実施形態によれば、上位の装置の時刻を変更する場合、ゲートウェイ装置に時刻同期
をする機能を持たせることで、その下位の装置に自動で時刻が同期され、システム全体の
時刻を容易に合わせることができる。
【００３３】
時刻を容易に合わせることで、空調設備または照明機器等の設備機器に対する出力の制
御を、時刻の差異なく正確に指示することができる。
【００３４】
なお、本実施形態に係る時刻設定システムは、図１に記載する構成以外の構成を含んで
いてもよい。また、設備機器及びコントローラは３個に限らず、１つ以上接続することが
できる。
【００３５】
また、コントローラと設備機器との関係は１対１に限らず、１つのコントローラに複数
の設備機器が接続されていてもよい。また、第２のネットワークと通信するコントローラ
３−３は、時刻設定システムに必須の構成ではないため、第２のネットワークと通信する
コントローラは、なくても、または複数あってもよい。
【００３６】
また、本実施形態に係る時刻設定システムにおいて、ＨＭＩ２は１つであるが、複数存
在してもよい。ＨＭＩ２が複数の場合、どのＨＭＩから時刻設定をしても、サーバ５及び
ゲートウェイ装置１を介して、下位の装置へ時刻を同期することができる。
【００３７】
また、本実施形態に係る時刻設定システムにおいてＨＭＩ２が参入する場合、サーバ５
は、下位の装置すべてに時刻同期をするだけでなく、参入するＨＭＩ２のみに時刻同期を
行うことができる。
【００３８】
また、本実施形態に係るゲートウェイ装置の運用について、時刻設定部１４で時刻を設
定するステップと、時刻同期部１５で時刻を下位の装置へ同期するステップは、ほぼ同時
にすることができる。
【００３９】
また、本実施形態に係るゲートウェイ装置１の時刻設定部１４は、自身の機器に時刻を
設定するための機能であるため、ゲートウェイ装置１で時刻を設定する必要がない場合は
、時刻設定部１４がなくてもよい。
【００４０】
また、本実施形態に係るゲートウェイ装置１の記憶部１２は、ゲートウェイ装置１が備
えてもよいし、クラウド上にあってもよい。
【００４１】
また、本実施形態に係る時刻設定システムは、ゲートウェイ装置１を介さずに行うこと
もできる。図５に、本実施形態に係るＨＭＩ２、コントローラ３−３、サーバ５の運用に
関するシーケンス図を示す。第２のネットワークとコントローラ３−３が通信をする場合
、ゲートウェイ装置１を介さずに時刻設定を行う。図５が図３と異なる点は、Ｓ１１５〜
Ｓ１１９のステップを削除した点であり、その点以外は図３と同様であるため、詳細な説
明は省略する。
【００４２】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００４３】
１    ゲートウェイ装置
１１  取得部
１２  記憶部
１３  変換部
１４  時刻設定部
１５  時刻同期部
２    ＨＭＩ（ヒューマンマシンインターフェース）
３−１〜３−３    コントローラ
４−１〜４−３  設備機器
５    サーバ
【図１】
2018022947.tif 000003
【図２】
2018022947.tif 000004
【図３】
2018022947.tif 000005
【図４】
2018022947.tif 000006
【図５】
2018022947.tif 000007